(57)【特許請求の範囲】
【請求項１】
複数の色信号で構成される画素をライン単位で読み込むラインセンサを備えたセンサ基板と、読み込んだ画素群に対して画像処理を行なうメイン基板とを備えた画像読取装置であって、
前記センサ基板は、
色信号単位のクロックを生成する色信号クロック生成手段と、
色信号クロックの色位置をカウントするセンサ色カウント手段と、
前記色信号クロックの特定の色位置を示す画像パターン信号を出力する画像パターン出力手段とを備え、
前記メイン基板は、
入力された色信号クロックの色位置をカウントするメイン色カウント手段と、
前記画像パターン信号を入力し、画像パターンで特定される色信号クロックの色位置に基づいて、前記メイン色カウント手段の色位置をあわせる調整を行う色位置調整手段とを備えることを特徴とする画像読取装置。
【請求項２】
請求項１に記載の画像読取装置であって、
前記色位置調整手段は、前記ラインセンサによる画像読み取りの開始に先立ち、前記色位置の調整を行なうことを特徴とする画像読み取り装置。
【請求項３】
請求項１に記載の画像読取装置であって、
前記色位置調整手段は、前記ラインセンサによるライン単位の画像読み取り毎に色位置の調整を行なうことを特徴とする画像読取装置。
【請求項４】
請求項３に記載の画像読取装置であって、
前記画像パターン出力手段は、前記センサ基板から送られるライン読み取り開始指示信号により前記画像パターン信号を出力することを特徴とする画像読取装置。
【請求項５】
請求項１〜４のいずれか１項に記載の画像読取装置であって、
前記画像パターン信号は、
特定の色信号のみ値を有する画像パターンの信号であることを特徴とする画像読取装置。
【請求項６】
複数の色信号で構成される画素をライン単位で読み込むラインセンサと、色信号単位のクロックを生成する色信号クロック生成手段と、色信号クロックの色位置をカウントするセンサ色カウント手段とを備えたセンサ基板と、
入力された色信号クロックの色位置をカウントするメイン色カウント手段を備えたメイン基板を有する画像読取装置における色位置調整方法であって、
前記センサ基板から前記色信号クロックの特定の色位置を示す画像パターン信号を出力するステップと、
前記メイン基板が、前記画像パターン信号を入力し、画像パターンで特定される色信号クロックの色位置に基づいて、前記メイン色カウント手段の色位置をあわせる調整を行うステップとを有することを特徴とする色位置調整方法。
【発明の詳細な説明】
【技術分野】
【０００１】
本発明は、イメージセンサを搭載したセンサ基板と画像処理を行なうメイン基板とを有する画像読取装置に係り、特に、センサ基板側とメイン基板側の色カウンタの色位置調整に関する。
【背景技術】
【０００２】
スキャナ装置に代表される画像読取装置では、上部に平らなテーブル状の原稿台を持ち、原稿台に原稿を載せた状態で、読み取り機構を動作させることでデータを読み取るようになっているフラットベッド方式が一般的で、広く普及している。
【０００３】
フラットベッド方式の画像読取装置は、読み取り機構として一次元（主走査方向）の撮像素子（イメージセンサ）を備え、撮像素子を搭載したセンサ基板を原稿に対して副走査方向に移動させながら、原稿からの反射光を読み取ることで２次元の画像情報を取得する。
【０００４】
また、画像読取装置は、読み取り処理の制御、画像処理等を行なうメイン基板を備えており、センサ基板とメイン基板とはフラットケーブルにより接続され、クロック、読み取りデータ等の送受信を行なっている。
【０００５】
図７は、従来の画像読取装置の構成を示すブロック図である。本図に示すように画像読取装置は、メイン基板１２０、センサ基板１３０およびセンサ基板１３０を副走査方向に駆動させる駆動機構１６０とを備えている。
【０００６】
メイン基板１２０には、駆動機構１６０を制御する駆動制御回路１２１、ライン毎の画像読み取り開始信号であるＴＧＣＫを出力するＭ：タイミング調整回路１２２、読み取った画像データの色（ＲＧＢ）毎の周期を示すＡＤＣＫについて、ＲＧＢ各色の位置あわせを行なうためのＭ：色カウンタ１２３、読み取った画像データのサンプリングを行なうサンプリング回路１２４、画像処理を行なう画像処理回路１２５、画像読取装置における各種処理を制御するＣＰＵ１２６が備えられている。
【０００７】
センサ基板１３０には、ＣＣＤ等により構成されるイメージセンサ１３１、Ａ／Ｄ変換回路１３２、ＴＧ（Timing Generator）部１３３が備えられている。
【０００８】
ＴＧ部１３３は、イメージセンサ１３１等を動作させるクロックを生成するクロック生成回路１３４、イメージセンサ１３１の読み取り処理を制御するセンサ制御回路１３５、メイン基板１２０から送られたＴＧＣＫに基づいて、センサ基板側のＴＧ：色カウンタ１３７の色位置を調整するＴＧ：タイミング調整回路１３６、センサ基板側の色カウンタであるＴＧ：色カウンタ１３７を備えている。
【０００９】
メイン基板１２０とセンサ基板１３０とは、フラットケーブルにより接続されており、フラットケーブルを介して、上述のＴＧＣＫ信号、ＡＤＣＫ信号、データ信号、制御信号がやり取りされる。
【００１０】
図８は、メイン基板１２０とセンサ基板１３０のＴＧ部１３３とにおけるＡＤＣＫ信号、ＴＧＣＫ信号、および色カウンタの関係を示すタイミング図である。
【００１１】
初期状態において、センサ基板１３０のＴＧ部１３３は、色周期を示すクロックであるＡＤＣＫをメイン基板側に出力すると共に、ＡＤＣＫに同期したＴＧ：色カウンタ１３７で、ＲＧＢを繰り返しカウントしている。なお、１画素は「Ｒ」「Ｇ」「Ｂ」により構成されるため、ＡＤＣＫの３クロックで１画素が表現される。すなわち、ＡＤＣＫの３クロックで図示しない画素カウンタが１増分される。
【００１２】
また、メイン基板１２０においても、センサ基板１３０から受け取ったＡＤＣＫに同期して、Ｍ：色カウンタ１２３によりＲＧＢを繰り返しカウントしている。
【００１３】
両色カウンタは、独自にカウントを行なっているため、初期状態においてはＲＧＢの位置にずれが生じている。
【００１４】
センサ基板１３０側で取得した画像データをメイン基板側で正確に読み取るためには、各画素の開始部分を同期させる必要がある。このため、それぞれの色カウンタの「Ｒ」「Ｇ」「Ｂ」の位置があっていなければならない。
【００１５】
この色カウンタの位置ずれを補正するため、従来は、メイン基板１２０から出力される画像読み取り開始信号であるＴＧＣＫを用いて、センサ基板側のＴＧ：色カウンタ１３７の色位置を調整するようにしている。
【００１６】
すなわち、本図の例において、メイン基板１２０のＭ：タイミング調整回路１２２は、Ｍ：色カウンタ１２３が「Ｒ」を示すタイミングでＴＧＣＫ信号をＴＧ：タイミング調整回路１３６に出力する。
【００１７】
ＴＧＣＫ信号を受信したセンサ基板側のＴＧ：タイミング調整回路１３６は、次のＡＤＣＫにおいてＴＧ：色カウンタ１３７を「Ｒ」の次のカウントである「Ｇ」に調整する。これにより、メイン基板側の色カウンタ１２３とセンサ基板側の色カウンタ１３７の色位置が同期する。そして、両色カウンタの色位置があった状態でライン読み取り処理が開始されることになる。
【発明の開示】
【発明が解決しようとする課題】
【００１８】
ＴＧＣＫ信号により、センサ側のＴＧ：色カウンタ１３７の色位置をメイン基板側のＭ：色カウンタ１２３の色位置にあわせるためには、ＡＤＣＫの１周期の間に、ＴＧＣＫのエッジをセンサ基板１３０に伝達しなければならない。なぜならば、ＡＤＣＫ毎に、Ｍ：色カウンタ１２３がカウントを進めているからである。
【００１９】
ところが、不要輻射ノイズ低減のためにＴＧＣＫのエッジを鈍らせたり、画像データ転送速度向上のためにＡＤＣＫの周期を高速化させた場合等には、ＴＧＣＫのエッジをＡＤＣＫの１周期で伝達させるのが困難であるという問題がある。
【００２０】
本発明は、センサ基板側の色カウンタとメイン基板側の色カウンタの色位置あわせを確実に行なえるようにすることを目的とする。
【課題を解決するための手段】
【００２１】
上記課題を解決するため本発明の第１の態様である画像読取装置は、
複数の色信号で構成される画素をライン単位で読み込むラインセンサを備えたセンサ基板と、読み込んだ画素群に対して画像処理を行なうメイン基板とを備えた画像読取装置であって、
前記センサ基板は、
色信号単位のクロックを生成する色信号クロック生成手段と、
色信号クロックの色位置をカウントするセンサ色カウント手段と、
所定の画像パターン信号を出力する画像パターン出力手段とを備え、
前記メイン基板は、
入力された色信号クロックの色位置をカウントするメイン色カウント手段と、
前記画像パターン信号を入力し、画像パターンで特定される色位置に基づいて、前記メイン色カウント手段の色位置を調整する色位置調整手段とを備えることを特徴とする。
【００２２】
本発明によれば、ＴＧＣＫ信号を色位置あわせに用いずに、画像パターンにより色位置あわせを行なっているため、ＴＧＣＫ信号の形状にかかわらず、センサ基板側の色カウンタとメイン基板側の色カウンタの色位置あわせを確実に行なうことができる。
【００２３】
ここで、前記色位置調整手段は、前記ラインセンサによる画像読み取りの開始に先立ち、前記色位置の調整を行なうようにしてもよいし、前記ラインセンサによるライン単位の画像読み取り毎に色位置の調整を行なうようにしてもよい。
【００２４】
後者の場合には、前記画像パターン出力手段は、前記センサ基板から送られるライン読み取り開始指示信号により前記所定の画像パターン信号を出力することにより、ライン読み取り開始信号（ＴＧＣＫ）の自由度をさらに高めることができる。
【００２５】
なお、前記所定の画像パターン信号は、
特定の色信号のみ値を有する画像パターンの信号とすることができる。
【００２６】
上記課題を解決するため本発明の第２の態様である画像読取装置における色位置調整方法は、
複数の色信号で構成される画素をライン単位で読み込むラインセンサと、色信号単位のクロックを生成する色信号クロック生成手段と、色信号クロックの色位置をカウントするセンサ色カウント手段とを備えたセンサ基板と、
入力された色信号クロックの色位置をカウントするメイン色カウント手段を備えたメイン基板を有する画像読取装置における色位置調整方法であって、
前記センサ基板から所定の画像パターン信号を出力するステップと、
前記メイン基板が、前記画像パターン信号を入力し、画像パターンで特定される色位置に基づいて、前記メイン色カウント手段の色位置を調整するステップとを有することを特徴とする。
【発明を実施するための最良の形態】
【００２７】
本発明の実施形態について図面を参照して説明する。
【００２８】
図１は、本発明の第１の実施形態における画像読取装置の構成を示すブロック図である。
【００２９】
本図に示すように画像読取装置は、メイン基板２０、センサ基板３０およびセンサ基板３０を副走査方向に駆動させる駆動機構６０とを備えている。
【００３０】
メイン基板２０には、駆動機構６０を制御する駆動制御回路２１、ライン毎の画像読み取り開始信号であるＴＧＣＫを出力するＭ：タイミング調整回路２２、読み取った画像データの色（ＲＧＢ）毎の周期を示すＡＤＣＫについて、ＲＧＢ各色の位置あわせを行なうためのＭ：色カウンタ２３、読み取った画像データのサンプリングを行なうサンプリング回路２４、画像処理を行なう画像処理回路２５、画像読取装置における各種処理を制御するＣＰＵ２６、Ｍ：色カウンタ２３の色位置を調整する色カウンタ位置調整回路２７、モードレジスタ２８が備えられている。
【００３１】
モードレジスタ２８は、ＣＰＵ２６により、Ｍ：色カウンタ２３の色位置調整モードであるか否かの情報が記録される。
【００３２】
センサ基板３０には、ＣＣＤ等により構成されるイメージセンサ３１、Ａ／Ｄ変換回路３２、ＴＧ（Timing Generator）部３３が備えられている。
【００３３】
なお、本実施形態において、１画素は「Ｒ」「Ｇ」「Ｂ」により構成されるため、ＡＤＣＫの３クロックで１画素が表現される。ただし、本発明は１画素をＲＧＢの３色で表現する画像処理装置に限られず、１画素を複数の信号で表現する画像読取装置に適用することができる。
【００３４】
ＴＧ部３３は、イメージセンサ３１等を動作させるクロックを生成するクロック生成回路３４、イメージセンサ３１の読み取り処理を制御するセンサ制御回路３５、メイン基板２０から送られたＴＧＣＫに基づいて画像読み取り開始タイミングを調整するＴＧ：タイミング調整回路３６、センサ基板側の色カウンタであるＴＧ：色カウンタ３７、モードレジスタ３８、所定の画像パターンを出力する画像パターン出力回路３９、切替回路４１を備えている。
【００３５】
色毎の周期を示すＡＤＣＫ信号は、ＴＧ部３３により生成され、メイン基板２０に送られる。
【００３６】
モードレジスタ３８には、モードレジスタ２８と同様に、ＣＰＵ２６により、Ｍ：色カウンタ２３の色位置調整モードであるか否かの情報が記録される。
【００３７】
切替回路４１は、モードレジスタ３８が調整モードであることを示している場合には、画像パターン出力回路３９が出力する所定の画像パターンをメイン基板側に出力し、モードレジスタ３８が調整モードであることを示していない場合には、イメージセンサ３１が読み取った画像データをメイン基板側に出力する。
【００３８】
ここで、画像パターン出力回路３９が出力する所定の画像パターンは、読み取った画像データにおいて、特定の色の位置を識別できるような画像データとする。このような画像データとしては、例えば、それぞれの画素について、特定の１色のみ値を有し、他の２色については値を有さない画像を用いることができる。すなわち、「Ｒ」「Ｇ」「Ｂ」のいずれか単色の画像データである。
【００３９】
本実施形態では、画像パターンとして、Ｒ（赤）を２５５として、Ｇ（緑）およびＢ（青）を０とした赤色を示す画像データを用いることとする。もちろん、画像パターンとして、Ｒ以外の色に値を持たせた画像を用いるようにしてもよい。また、特定の色の位置を識別できれば足りるため、必ずしも「Ｒ」「Ｇ」「Ｂ」のいずれか単色の画像でなくてもよい。
【００４０】
メイン基板１２０とセンサ基板１３０とは、フラットケーブルにより接続されており、フラットケーブルを介して、上述のＴＧＣＫ信号、ＡＤＣＫ信号、データ信号、制御信号がやり取りされる。
【００４１】
図２は、メイン基板２０とセンサ基板３０のＴＧ部３３とにおけるＡＤＣＫ信号、ＴＧＣＫ信号、画像データおよび色カウンタの関係を示すタイミング図である。
【００４２】
初期状態において、センサ基板３０のＴＧ部３３は、色周期を示すクロックであるＡＤＣＫをメイン基板側に出力すると共に、ＡＤＣＫに同期したＴＧ：色カウンタ３７で、ＲＧＢを繰り返しカウントしている。このとき、切替回路４１からはイメージセンサ３１からの画像データが出力されている。ただし、読み取り処理前なので出力しないようにしてもよい。
【００４３】
また、メイン基板２０においても、センサ基板３０から受け取ったＡＤＣＫに同期して、Ｍ：色カウンタ２３によりＲＧＢを繰り返しカウントしている。
【００４４】
両色カウンタは、独自にカウントを行なっているため、初期状態においてはＲＧＢの位置にずれが生じている。
【００４５】
このずれを補正するため、本実施形態では、色位置の調整モードを設けている。色位置の調整モードでは、メイン基板側のＭ：色カウンタ２３の色位置を調整するために、センサ基板３０の切替回路４１により、所定の画像パターンをデータ信号としてメイン基板２０に出力する。
【００４６】
この画像パターンは、上述のようにＲのみ値を有している画像パターンである。このため、本図に示すように、センサ基板３０のＴＧ：色カウンタ３７が「Ｒ」を示すときにＡＤＣＫに同期して出力される。
【００４７】
メイン基板２０の色カウンタ位置調整回路２７は、受信した画像データの値を有している色データに対応するＡＤＣＫが「Ｒ」となるようにＭ：色カウンタ２３の色位置を調整する。これにより、センサ基板３０におけるＴＧ：色カウンタ３７と、メイン基板２０におけるＭ：色カウンタ２３との色位置があわせられることになる。
【００４８】
この色位置調整処理は、例えば、読み取り処理の開始前に行なうようにする。そして、色位置があった状態でメイン基板２０からＴＧＣＫ信号を出力することでラインの読み取り処理が開始される。
【００４９】
このように、ＴＧＣＫ信号を色位置あわせに用いないようにしているため、ＴＧＣＫを色周期ではなく、画素周期（色周期３クロック分）でメイン基板側に伝達すれば足りる。このため、不要輻射ノイズ低減のため、ＴＧＣＫのエッジを鈍らせたり、データ転送速度向上のために、ＡＤＣＫの周波数を高速化させることができる。
【００５０】
図３は、上記の色位置調整処理の流れを説明するフロー図である。なお、本図では、簡単のため、画像読み取りの際に行なわれる白基準読み取り処理等の前処理、読み取った画像データの転送処理等については省略している。
【００５１】
色位置調整処理は、例えば、ユーザから画像読み取り開始指示を受け付ける毎に（Ｓ１０１）、画像読み取り処理に先立って行なうようにする。
【００５２】
色位置調整処理では、ＣＰＵ２６が、モードレジスタ２８およびモードレジスタ３８に調整モードであることを示す情報を書き込むことで、調整モードに移行する（Ｓ１０２）。
【００５３】
調整モードに移行すると、センサ基板３０の切替回路４１がパターン出力回路３９が出力する所定の画像データをメイン基板２０に出力する（Ｓ１０３）。
【００５４】
色カウンタ位置調整回路２７は、送られた画像データとＭ：色カウンタ２３とを比較して、Ｍ：色カウンタ２３の色位置がセンサ側のＴＧ：色カウンタ３７の色位置とあっているかどうかを判断する（Ｓ１０４）。
【００５５】
送られてきた画像データはＲのみ値を有しているため、Ｍ：色カウンタ２３の色位置がＴＧ：色カウンタ３７の色位置とあっているかどうかは容易に判定することができる。
【００５６】
その結果、色位置がずれている場合には、Ｍ：色カウンタ２３の色位置を調整する（Ｓ１０５）。これにより、Ｍ：色カウンタ２３の色位置がセンサ側のＴＧ：色カウンタ３７の色位置とあうことになる。
【００５７】
色位置の調整後、あるいは、所定の時間経過後に、ＣＰＵ２６がモードレジスタ２８およびモードレジスタ３８に調整モードが終了したことを示す情報を書き込むことで、画像パターンの出力を終了し（Ｓ１０６）、調整モードが解除される（Ｓ１０７）。
【００５８】
ついで、メイン基板２０が画像読み出し開始信号であるＴＧＣＫを出力し（Ｓ１０８）、画像読み取り処理が開始される（Ｓ１０９）。
【００５９】
つぎに、本発明の第２の実施形態について説明する。
【００６０】
図４は、本発明の第２の実施形態における画像読取装置の構成を示すブロック図である。なお、第１の実施形態と同じ構成について同じ符号を付している。
【００６１】
本図に示すように画像読取装置は、メイン基板２０、センサ基板３０およびセンサ基板３０を副走査方向に駆動させる駆動機構６０とを備えている。
【００６２】
メイン基板２０には、駆動機構６０を制御する駆動制御回路２１、ライン毎の画像読み取り開始信号であるＴＧＣＫを出力するＭ：タイミング調整回路２２、読み取った画像データの色（ＲＧＢ）毎の周期を示すＡＤＣＫについて、ＲＧＢ各色の位置あわせを行なうためのＭ：色カウンタ２３、読み取った画像データのサンプリングを行なうサンプリング回路２４、画像処理を行なう画像処理回路２５、画像読取装置における各種処理を制御するＣＰＵ２６、Ｍ：色カウンタ２３の位置あわせを調整する色カウンタ位置調整回路２７、切替制御回路２９が備えられている。
【００６３】
切替制御回路２９は、ライン読み取りの前に、色カウンタ位置調整回路２７に対してＭ：色カウンタ２３の色位置を調整するように指示する。
【００６４】
センサ基板３０には、ＣＣＤ等により構成されるイメージセンサ３１、Ａ／Ｄ変換回路３２、ＴＧ（Timing Generator）部３３が備えられている。
【００６５】
ＴＧ部３３は、イメージセンサ３１を動作させるクロックを生成するクロック生成回路３４、イメージセンサ３１の読み取り処理を制御するセンサ制御回路３５、メイン基板２０から送られたＴＧＣＫに基づいて画像読み取り開始タイミングを調整するＴＧ：タイミング調整回路３６、センサ基板側の色カウンタであるＴＧ：色カウンタ３７、所定の画像パターンを出力する画像パターン出力回路３９、切替回路４１、切替制御回路４２を備えている。
【００６６】
色毎の周期を示すＡＤＣＫ信号は、ＴＧ部３３により生成され、メイン基板２０に送られる。
【００６７】
切替制御回路４２は、ライン読み取りの前に、切替回路４１が、画像パターン出力回路３９が出力する所定の画像パターンをメイン基板側に出力するように制御し、その後、切替回路４１が、イメージセンサ３１が読み取った画像データをメイン基板側に出力するように制御する。
【００６８】
ここで、画像パターン出力回路３９が出力する所定の画像パターンは、第１の実施例と同様とすることができる。
【００６９】
図５は、メイン基板２０とセンサ基板３０のＴＧ部３３とにおけるＡＤＣＫ信号、ＴＧＣＫ信号、画像データおよび色カウンタの関係を示すタイミング図である。
【００７０】
初期状態において、センサ基板３０のＴＧ部３３は、色周期を示すクロックであるＡＤＣＫをメイン基板側に出力すると共に、ＡＤＣＫに同期したＴＧ：色カウンタ３７で、ＲＧＢを繰り返しカウントしている。このとき、切替回路４１からはイメージセンサ３１からの画像データが出力されている。ただし、読み取り処理前なので出力しないようにしてもよい。
【００７１】
また、メイン基板２０においても、センサ基板３０から受け取ったＡＤＣＫに同期して、Ｍ：色カウンタ２３によりＲＧＢを繰り返しカウントしている。
【００７２】
両色カウンタは、独自にカウントを行なっているため、初期状態においてはＲＧＢの位置にずれが生じている。
【００７３】
このずれを補正するため、本実施形態では、各ライン読み取りの前にメイン基板側のＭ：色カウンタ２３の色位置の調整を行なうようにしている。色位置の調整では、ライン読み取り開始信号であるＴＧＣＫをメイン基板側から受信すると、ライン読み取りに先立ち、センサ基板３０の切替制御回路４２が切替回路４１に所定の画像パターンをデータ信号としてメイン基板２０に出力させる。
【００７４】
この画像パターンは上述のように、Ｒのみ値を有している画像パターンである。このため、本図に示すように、センサ基板３０のＴＧ：色カウンタ３７が「Ｒ」を示すときにＡＤＣＫに同期して出力される。
【００７５】
メイン基板２０の切替制御回路２９は、Ｍ：タイミング調整回路２２がＴＧＣＫ信号をセンサ基板に送信すると、色カウンタ位置調整回路２７に、受信した画像データの値を有している色データに対応するＡＤＣＫが「Ｒ」となるようにＭ：色カウンタ２３の色位置を調整させる。これにより、センサ基板３０におけるＴＧ：色カウンタ３７と、メイン基板２０におけるＭ：色カウンタ２３との色位置があわせられることになる。
【００７６】
この色位置調整処理は、各ライン読み取りの開始前に行なわれるため、色位置があった状態でラインの読み取り処理が開始される。
【００７７】
このように、ＴＧＣＫ信号を色位置あわせに用いないようにしているため、ＴＧＣＫを色周期ではなく、画素周期（色周期３クロック分）でメイン基板側に伝達すれば足りる。このため、不要輻射ノイズ低減のため、ＴＧＣＫのエッジを鈍らせたり、データ転送速度向上のために、ＡＤＣＫの周波数を高速化させることができる。
【００７８】
また、各ライン毎のＴＧＣＫ信号により色位置が調整されるため、ＴＧＣＫの自由度が高まることになる。具体的には、ＴＧＣＫが画素毎のクロックの整数倍である必要がない。
【００７９】
図６は、第２の実施形態における色位置調整処理の流れを説明するフロー図である。なお、本図でも色位置調整処理以外の処理については省略している。
【００８０】
色位置調整処理は、画像読み取り開始信号であるＴＧＣＫ（Ｓ２０１）により、ライン読み取り処理に先立って行なうようにする。例えば、前ラインの読み取りデータを転送する時間を利用することができる。
【００８１】
ＴＧＣＫにより、センサ基板３０の切替制御回路４２は、切替回路４１に所定の画像パターンをデータ信号としてメイン基板２０に出力させる（Ｓ２０２）。
【００８２】
また、メイン基板２０の切替制御回路２９は、色カウンタ位置調整回路２７にＭ：色カウンタ２３の色調整を行なわせる。
【００８３】
色カウンタ位置調整回路２７は、送られた画像データとＭ：色カウンタ２３とを比較して、Ｍ：色カウンタ２３の色位置がセンサ側のＴＧ：色カウンタ３７の色位置とあっているかどうかを判断する（Ｓ２０３）。
【００８４】
送られてきた画像データはＲのみ値を有しているため、ＴＧ：色カウンタ３７の色位置とあっているかどうかは容易に判定することができる。
【００８５】
その結果、色位置がずれている場合には、Ｍ：色カウンタ２３の色位置を調整する（Ｓ２０４）。これにより、Ｍ：色カウンタ２３の色位置がセンサ側のＴＧ：色カウンタ３７の色位置とあうことになる。
【００８６】
タイマ制御による所定の時間経過後に、切替回路４１は、画像パターンの出力を終了する（Ｓ２０５）。
【００８７】
そして、ライン読み取り処理を行なう（Ｓ２０６）。以上の処理をすべてのラインを読み取るまで繰り返す（Ｓ２０７）。
【００８８】
以上に示したように、本発明では、ＴＧＣＫ信号を色位置あわせに用いないようにしているため、ＴＧＣＫ信号の形状にかかわらず、センサ基板側の色カウンタとメイン基板側の色カウンタの色位置あわせを確実に行なうことができる。
【図面の簡単な説明】
【００８９】
【図１】第１の実施形態における画像読取装置の構成を示すブロック図。
【図２】メイン基板とセンサ基板間の信号と色カウンタの関係を示すタイミング図。
【図３】第１の実施形態における処理を説明するフロー図。
【図４】第２の実施形態における画像読取装置の構成を示すブロック図。
【図５】メイン基板とセンサ基板間の信号と色カウンタの関係を示すタイミング図。
【図６】第２の実施形態における処理を説明するフロー図。
【図７】従来の画像読取装置の構成を示すブロック図。
【図８】メイン基板とセンサ基板間の信号と色カウンタの関係を示すタイミング図。
【符号の説明】
【００９０】
２０…メイン基板、２１…駆動制御回路、２２…Ｍ：タイミング調整回路、２３…Ｍ：色カウンタ、２４…サンプリング回路、２５…画像処理回路、２６…ＣＰＵ、２７…色カウンタ位置調整回路、２８…モードレジスタ、２９…切替制御回路、３０…センサ基板、３１…イメージセンサ、３２…変換回路、３３…ＴＧ部、３４…クロック生成回路、３５…センサ制御回路、３６…ＴＧ：タイミング調整回路、３７…ＴＧ：色カウンタ、３８…モードレジスタ、３９…画像パターン出力回路、４１…切替回路、４２…切替制御回路、６０…駆動機構、１２０…メイン基板、１２１…駆動制御回路、１２２…Ｍ：タイミング調整回路、１２３…Ｍ：色カウンタ、１２４…サンプリング回路、１２５…画像処理回路、１３０…センサ基板、１３１…イメージセンサ、１３２…変換回路、１３３…ＴＧ部、１３４…クロック生成回路、１３５…センサ制御回路、１３６…ＴＧ：タイミング調整回路、１３７…色カウンタ、１６０…駆動機構
【図１】
0004618139.tif 000002
【図２】
0004618139.tif 000003
【図３】
0004618139.tif 000004
【図４】
0004618139.tif 000005
【図５】
0004618139.tif 000006
【図６】
0004618139.tif 000007
【図７】
0004618139.tif 000008
【図８】
0004618139.tif 000009